(57)【要約】簡単な構造で、動力を使用して、ベッド部を上下方向に安定して長時間にわたって揺らすことができる揺動式ベビーベッドである。乳児Ｂの寝床となるベッド部１２と、ベッド部１２の下方に設けられた基台部１４と、基台部１４に取り付けられベッド部１２を垂直方向に揺動可能に支持する揺動機構１６を有する。揺動機構１６を駆動する駆動装置７０，７４と、揺動機構１６の下方への移動を緩衝する緩衝部材８０を備える。乳児Ｂをベッド部１２に寝かせた状態での、ベッド部１２の垂直方向の基準位置を確認する確認部材３３，４３を備える。揺動機構１６は、ベッド部１２を垂直方向の上向きに付勢する付勢部材３４を備える。駆動装置７０，７４の駆動周期と、ベッド部１２に乳児Ｂを寝かせた状態で、付勢部材３４に付勢された揺動機構１６を自由振動させたときの周期とが一致している。
2020165984.tif 000002
【特許請求の範囲】
【請求項１】
乳児の寝床となるベッド部と、前記ベッド部の下方に設けられた基台部と、前記基台部に取り付けられ前記ベッド部を垂直方向に揺動可能に支持する揺動機構と、前記揺動機構を駆動する駆動装置と、前記揺動機構の下方への移動を緩衝する緩衝部材と、前記乳児をベッド部に寝かせた状態での前記ベッド部の垂直方向の基準位置を確認する確認部材とを備えたことを特徴とする揺動式ベビーベッド。
【請求項２】
前記緩衝部材は、前記揺動機構が当接可能に設けられたダンパーである請求項１記載の揺動式ベビーベッド。
【請求項３】
前記揺動機構は、前記ベッド部を垂直方向の上向きに付勢する付勢部材を備え、前記付勢部材は前記緩衝部材を兼ねる請求項１記載の揺動式ベビーベッド。
【請求項４】
前記揺動機構は、前記ベッド部を垂直方向の上向きに付勢する付勢部材を備え、前記駆動装置の駆動周期と、前記ベッド部に乳児を寝かせた状態で前記付勢部材に付勢された前記揺動機構を自由振動させたときの周期とが一致している請求項１記載の揺動式ベビーベッド。
【請求項５】
前記ベッド部は、前記ベッド部に乳児を寝かせた状態で、前記付勢部材からの力を受けて基準位置に保持され、前記駆動装置により外力を加えて前記基準位置から上昇可能に設けられた請求項４記載の揺動式ベビーベッド。
【請求項６】
前記ベッド部は、前記ベッド部に乳児を寝かせた状態で、前記乳児の体重に合わせて、前記付勢部材から前記揺動機構にかかる力を調節し、前記ベッド部の位置を調節する付勢力可変装置を備える請求項３、４又は５記載の揺動式ベビーベッド。
【請求項７】
前記駆動装置は、モータと、前記モータの回転軸に取り付けられた円板とを有し、前記円板の表面には、前記円板の周縁部の近傍に、前記表面から突出する突起が形成され、前記突起は、前記円板の回転に伴って前記揺動機構との距離が変化し、
前記揺動機構には、前記円板の前記表面近傍に達する係合部が設けられ、
前記係合部は、前記突起が前記揺動機構に近い位置にある時は前記突起の上側に載り前記円板の回転に伴って上昇し、前記突起が前記揺動機構から遠い位置にある時は前記突起から落下して、前記ベッド部が前記モータにより上下に揺動する請求項２、３又は４記載の揺動式ベビーベッド。
【請求項８】
前記ベッド部又はベッド部固定部材には、前記基台部を覆う覆い部が設けられ、前記ベッド部又はその付近には、前記乳児に聞かせる胎内音を発生するスピーカが取り付けられている請求項４記載の揺動式ベビーベッド。
【発明の詳細な説明】
【技術分野】
【０００１】
この発明は、乳児を寝かせる場合等に使用される揺動式ベビーベッドに関する。
【背景技術】
【０００２】
従来、特許文献１に開示されているように、乳児の寝床となるベッド部（ベビーベッド）と、ベッド部の下面を基礎枠に連結する前脚及び後脚とを有し、前脚及び後脚は、その両端部がそれぞれベッド部及び基礎枠に軸着されてベッド部を支持した揺動式ベビーベッドがあった。この揺動式ベビーベッドは、モータの回転運動を前脚又は後脚に作用させることにより、ベッド部を水平方向に往復移動させるものである。【０００３】
また、特許文献２に開示されているように、昇降枠に寝床シートを設けたベッド部を外枠の内側に配置し、昇降枠が弾性部材を介して外枠に連繋された吊り床式ベビーベッドがあった。このベビーベッドは、ベッド部に外力を加えて（例えば、手で軽く押し下げる）、ベッド部を上下方向に振動させるものである。【０００４】
その他、本願発明者による特許文献３に開示されているように、平行クランク機構を用いて垂直方向に、手動により揺動可能に設けられた揺動式ベビーベッドも提案されている。
【先行技術文献】
【特許文献】
【０００５】
【特許文献１】特開平１０−２１５９８５号公報
【特許文献２】特開２００４−３１３２５４号公報
【特許文献３】特開２０１６−１９８１３８号公報
【発明の概要】
【発明が解決しようとする課題】
【０００６】
しかし、特許文献１の揺動式ベビーベッドの場合、ベッド部が前後方向（水平方向）に移動するので、揺動させても乳児の寝付きが良くなく、揺動によりベッド上の乳児の姿勢が変わりやすいものであった。特許文献２の吊り床式ベビーベッドの場合、ベッド部が傾いたり不規則に揺れたりしないようにするため、ガイドレールやローラ部材等で構成する確動装置を設けなければならず、構造が複雑であった。さらに、ベッド部を吊り下げる弾性部材がベッド部の周りの複数箇所に分散して配置されるので、各弾性部材の張力を変更したり調節したりするのが容易ではない。【０００７】
これに対して、特許文献３に開示された手動による揺動式ベビーベッドは、垂直方向に揺動させる機構がシンプルであり、乳児の姿勢にも影響が少ないが、揺動運動のための操作がしづらく、長時間の揺動操作を行うことは難しいものである。さらに、手動で揺動させるため揺動の周期が安定せず、ベッドの乳児の寝付きが良くない場合もある。【０００８】
この発明は、上記背景技術の問題点に鑑みてなされたものであり、簡単な構造で、動力を使用して、ベッド部を上下方向に安定して長時間にわたって揺らすことができる揺動式ベビーベッドを提供することを目的とする。
【課題を解決するための手段】
【０００９】
本発明は、乳児の寝床となるベッド部と、前記ベッド部の下方に設けられた基台部と、前記基台部に取り付けられ前記ベッド部を垂直方向に揺動可能に支持する揺動機構と、前記揺動機構を駆動する駆動装置と、前記揺動機構の下方への移動を緩衝する緩衝部材と、前記乳児をベッド部に寝かせた状態での前記ベッド部の垂直方向の基準位置を確認する確認部材とを備えた揺動式ベビーベッドである。【００１０】
前記緩衝部材は、前記揺動機構が当接可能に設けられたダンパーである。前記揺動機構は、前記ベッド部を垂直方向の上向きに付勢する付勢部材を備え、前記付勢部材は前記緩衝部材を兼ねるものである。前記揺動機構は、前記ベッド部を垂直方向の上向きに付勢する付勢部材を備え、前記駆動装置の駆動周期と、前記ベッド部に乳児を寝かせた状態で前記付勢部材に付勢された前記揺動機構を自由振動させたときの周期とが一致していると良い。【００１１】
前記ベッド部は、前記ベッド部に乳児を寝かせた状態で、前記付勢部材からの力を受けて基準位置に保持され、前記駆動装置により外力を加えて前記基準位置から上昇可能に設けられている。さらに、前記ベッド部は、前記ベッド部に乳児を寝かせた状態で、前記乳児の体重に合わせて、前記付勢部材から前記揺動機構にかかる力を調節し、前記ベッド部の位置を調節する付勢力可変装置を備えるものである。【００１２】
前記駆動装置は、モータと、前記モータの回転軸に取り付けられた円板とを有し、前記円板の表面には、前記円板の周縁部の近傍に、前記表面から突出する突起が形成され、前記突起は、前記円板の回転に伴って前記揺動機構との距離が変化し、前記揺動機構には、前記円板の前記表面近傍に達する係合部が設けられ、前記係合部は、前記突起が前記揺動機構に近い位置にある時は前記突起の上側に載り前記円板の回転に伴って上昇し、前記突起が前記揺動機構から遠い位置にある時は前記突起から落下して、前記ベッド部が前記モータにより上下に揺動するものである。【００１３】
前記ベッド部又はベッド部固定部材には、前記基台部を覆う覆い部が設けられている。さらに、前記ベッド部又はその付近には、前記乳児に聞かせる胎内音を発生するスピーカが取り付けられている。これにより、前記ベッド部を揺動させるとともに、前記スピーカで、前記ベッド部に寝かせた乳児に胎内音を聞かせて、安心させることができる。
【発明の効果】
【００１４】
本発明の揺動式ベビーベッドは、簡単な構造で、動力を使用して、自動的にベッド部を上下方向に安定して、長時間にわたって揺らすことができる。これにより、ベッド部に乳児を寝かせると、寝付きが良く、容易に安眠させることができる。
【図面の簡単な説明】
【００１５】
【図１】この発明の一実施形態の揺動式ベビーベッドの斜視図である。
【図２】この実施形態の揺動式ベビーベッドの内部構造を示す正面図である。
【図３】この実施形態の揺動式ベビーベッドの内部構造を示す左側面である。
【図４】この実施形態の揺動式ベビーベッドの使用状態を示す正面図である。
【図５】この実施形態の揺動式ベビーベッドの付勢力可変装置が取り付けられた基台部のフレーム体を示す斜視図（ａ）と、付勢力可変装置の部分を拡大した斜視図（ｂ）である。
【図６】この実施形態の揺動式ベビーベッドのベッド部が上向きに移動した時の揺動機構の動作を示す正面図（ａ）と、ベッド部が基準位置にある時の揺動機構の動作を示す正面図（ｂ）である。
【図７】この実施形態の揺動式ベビーベッドのベッド部が上昇限度位置に達した状態を示す正面図である。
【発明を実施するための形態】
【００１６】
以下、この発明の実施形態について図面に基づいて説明する。図１〜図７はこの発明の一実施形態を示すもので、この実施形態の揺動式ベビーベッド１０は、乳児Ｂの寝床となるベッド部１２と、ベッド部１２の下方に設けられた基台部１４と、基台部１４に取り付けられ、ベッド部１２を揺動可能に支持する揺動機構１６とを備えている。
【００１７】
揺動機構１６は、一対のベッド固定部材２０、第一の軸部２２、第二の軸部２４、第三の軸部２６、第四の軸部２８、一対の第一の連結部材３０、一対の第二の連結部材３２、及び付勢部材３４で構成され、付勢部材３４は、弾性部材であるコイルバネ３６及び付勢力可変装置３８等で構成されている。以下、各部材の構成を順に説明するが、説明の中では、図４における乳児Ｂの頭部側を前側、乳児Ｂの足側を後側、乳児Ｂの右手側を右側、乳児Ｂの左手側を左側と称する。
【００１８】
ベッド部１２は、マット等が敷かれる底面１２ａを有し、底面１２ａの周囲を取り囲むように側面１２ｂが設けられ、合成樹脂等で一体に成形されてもよい。ベッド部１２の下端部には、基台部１４を覆う覆い部である布カバー部１８が設けられている。覆い部である布カバー部１８は、一対のベッド固定部材２０に取り付けられていても良い。
【００１９】
基台部１４は、複数のフレームを直方体状に格子組みした枠部材であるフレーム体４０で成り、フレーム体４０の前後左右の側面部が、図４に示すように、側面板３９により塞がれている。揺動機構１６は、布カバー部１８と側面板３９により、外から見えないようになっている。側面板３９と、側面板３９を覆う布カバー部１８には、基台部１４の内側を見ることができる確認部材である透孔４３が互いに連通して、所定の高さに設けられている。透孔４３は、そこから内側を見て、後述する第二の連結部材３２（１），３２（２）の端面に設けられた確認部材であるマーク３３が透孔４３に一致して視認された時に、第二の連結部材３２（１），３２（２）が略水平であり、ベッド部１２が基準位置にあることを確認するためのものである。
【００２０】
フレーム体４０は、前側の２つの縦フレーム４０ｆ（１），４０ｆ（２）の上端寄りの位置に、第三の軸部２６が左右方向に貫通して設けられている。また、縦フレーム４０ｆ（１），４０ｆ（２）の、第三の軸部２６から下側に離れた位置に、第四の軸部２８が左右方向に貫通して設けられている。フレーム体４０の下面には、キャスター４１が取り付けられている。
【００２１】
後側の縦フレーム４０ｒ（１），４０ｒ（２），４０ｒ（３）には、付勢力可変装置３８が取り付けられている。付勢力可変装置３８は、コイルバネ取り付け部４２、雄ネジ部材４４、支持梁４６、及びハンドル４８で構成されている。
【００２２】
コイルバネ取り付け部４２は、角柱状の本体を水平にして配置され、前側の面にコイルバネ３６の一端を引っ掛けるためのフック４２ａが設けられ、本体中央部には、前後方向に貫通する雌ネジ孔４２ｂが形成されている。
【００２３】
雄ネジ部材４４は、側周面に雄ネジが設けられており、コイルバネ取り付け部４２の雌ネジ孔４２ｂ内に挿通され螺合している。雄ネジ部材４４は、コイルバネ取り付け部４２と支持梁４６の間隔よりも長く設けられている。
【００２４】
支持梁４６は、雄ネジ部材４４の基端部付近を回転可能に支持するフレームであり、一方の端部は縦フレーム４０ｒ（２）の下端寄りの位置に固定され、他方の端部は縦フレーム４０ｒ（１）と縦フレーム４０ｒ（２）の間に設けられた縦フレーム４０ｒ（３）の下端寄りの位置にそれぞれ固定されている。コイルバネ取り付け部４２と支持梁４６の間には、フレーム体４０に固定された別の支持梁４７が設けられ、雄ネジ部材４４は支持梁４７を貫通して、支持梁４７に補助的に支持されている。支持梁４７は支持梁４６に対して平行であり、支持梁４７の両端部は、縦フレーム４０ｆ（１），４０ｆ（２）と縦フレーム４０ｒ（１），４０ｒ（２）の間に設けられた一対の縦フレーム４０ｃ（１），４０ｃ（２）に固定されている。
【００２５】
ハンドル４８は、雄ネジ部材４４を回転させるための操作部材であり、雄ネジ部材４４の基端部に取り付けられている。ハンドル４８を回して雄ネジ部材４４を回転させると、雄ネジ部材４４に螺合しているコイルバネ取り付け部４２が前方向又は後方向に移動する。なお雄ネジ部材４４は、コイルバネ取り付け部４２と支持梁４７の間隔よりも少し長い程度に設けられていてもよく、支持梁４７から僅かに突出する長さに設けられて支持梁４６に達しないものでもよく、この場合は、ハンドル４８を支持梁４７付近に設ける。
【００２６】
ベッド部１２の下方には、ベッド部１２の下面が固定される枠部材であるベッド部固定部材２０（１），２０（２）が設けられている。ベッド部固定部材２０（１）は、縦部分２０ａ（１）と水平部分２０ｂ（１）とを有する略Ｔ字状のフレームである。ベッド部固定部材２０（２）も、縦部分２０ａ（２）と横部分２０ｂ（２）とを有する同じ形状のフレームである。ベッド部固定部材２０（１），２０（２）は、左右対称に配置され、横フレーム５０，５２，５４で連結されて一体になっている。さらに、縦部分２０ａ（１），２０ａ（２）は、上下方向のほぼ中央位置に第一の軸部２２が左右方向に貫通して設けられ、第一の軸部２２から下側に離れた位置に第二の軸部２４が左右方向に貫通して設けられている。
【００２７】
第一の連結部材３０（１）は、前後方向に沿って配置される棒状のフレームであり、後寄りの位置に、棒状の付勢用フレーム５６（１）がＴ字状に交差する角度に固定して取り付けられている。第一の連結部材３０（２）も同じ形状のフレームであり、後寄りの位置に、付勢用フレーム５６（２）が同様に取り付けられている。第一の連結部材３０（１），３０（２）及び付勢用フレーム５６（１），５６（２）は、左右対称に配置され、横フレーム５８，６０，６２で連結されて一体になっている。付勢用フレーム５６（１），５６（２）の下端部同士を連結する横フレーム６２は、後側の面に、コイルバネ３６の一端を引っ掛けるためのフック６２ａが設けられている。
【００２８】
第二の連結部材３２（１），３２（２）は、第一の連結部材３０（１），３０（２）と同形状のフレームであり、左右対称に配置され、横フレーム６４，６６で連結されて一体になっている。
【００２９】
第一の連結部材３０（１），３０（２）は、後側の端部が第一の軸部２２に軸着され、前側の端部が第三の軸部２６に軸着され、ベッド部固定部材２０（１），２０（２）とフレーム体４０とを連結する。第二の連結部材３２（１），３２（２）は、後側の端部が第二の軸部２４に軸着され、前側の端部が第四の軸部２８に軸着され、ベッド部固定部材２０（１），２０（２）とフレーム体４０とを連結する。第二の連結部材３２（１），３２（２）の後側の端部の端面には、基準位置を確認するためのマーク３３が印刷されている。マーク３３は、端面を目立つ色で塗ったものでも良い。
【００３０】
付勢部材３４は、上述した付勢力可変装置３８、付勢用フレーム５６（１），５６（２）及び横フレーム６２、及び弾性部材であり引っ張りバネであるコイルバネ３６で構成される。コイルバネ３６は、一端が付勢力可変装置３８のフック４２ａに固定され、他端が横フレーム６２のフック６２ａに固定されており、自己の収縮力により付勢用フレーム５６（１），５６（２）の下端部をコイルバネ取り付け部４２の方向に引き寄せ、第一の連結部材３０（１），３０（２）を、第三の軸部２６を中心に上向きに付勢する。この付勢力に対して、ベッド部１２による第一の連結部材３０（１），３０（２）を下向きに押す力（乳児Ｂの体重やベッド部１２の自重など）が釣り合う位置で、ベッド部１２は停止する。
【００３１】
揺動機構１６は、フレーム体４０の縦フレーム４０ｆ（１），４０ｆ（２）と、ベッド部度固定部材２０（１），２０（２）の縦部分２０ａ（１），２０ａ（２）と、第一の連結部材３０（１），３０（２）と、第二の連結部材３２（１），３２（２）とで構成された平行クランク機構であり、第一の連結部材３０（１），３０（２）及び第二の連結部材３２（１），３２（２）が、第三の軸部２６、第四の軸部２８を中心に平行に回動することによって、ベッド部１２が上下方向に移動する。
【００３２】
縦フレーム４０ｒ（１）と縦フレーム４０ｃ（１）の間には、揺動機構１６を動かす駆動装置であるモータ７０が設けられている。モータ７０と揺動機構１６の間には、駆動装置である伝動部材６８が設けられている。伝動部材６８は、略水平方向に設けられモータ７０により回転する回転軸７２と、回転軸７２に取り付けられた円板７４を有している。円板７４は、第一の連結部材３０と第二の連結部材３２に対して、表面７４ａが略平行で、回転軸７２が垂直になるように配置されている。表面７４ａは、モータ７０とは反対側であり、表面７４ａに２つの突起７６が形成されている。突起７６は、円板７４の周縁部に隣接して互いに１８０°離れた位置に設けられている。
【００３３】
揺動機構１６には、突起７６の上側に載って、円板７４の回転に伴って上側に移動する係合部である押し上げ棒７８が設けられている。押し上げ棒７８は、円板７４の表面７４ａに僅かな隙間を有して略平行で略水平方向に沿って設けられ、一方の端部は横フレーム５４に固定され、反対側の先端部は円板７４の周縁部と回転軸７２の間に位置している。押し上げ棒７８の先端部は、下側の角部が面取りされて滑り面７８ａが形成されている。押し上げ棒７８は、突起７６が回転軸７２の水平方向の横に位置し横フレーム５４に近い時は突起７６の上側に載る。円板７４は、モータ７０により、横フレーム５４に近い側縁部が上昇する方向に回転する。円板７４が回転すると、押し上げ棒７８は突起７６に載って、円板７４の回転に伴って上昇し、突起７６が回転軸７２の斜め上方を過ぎると、押し上げ棒７８は突起７６から離れて落下する。円板７４の先端部には、下側の角部が面取りされた滑り面７８ａが形成されているため、突起７６から滑らかに落下する。
【００３４】
一対の第二の連結部材３２の、後側の端部付近の下方には、緩衝部材である一対のダンパー８０の可動部８０ａが上方を向いて取り付けられている。ダンパー８０により、押し上げ棒７８が、円運動する突起７６から離れて落下し、第二の連結部材３２が、第四の軸部２８を中心として回転して下降すると、第二の連結部材３２の先端部がダンパー８０の可動部８０ａに当接し、ベッド部１２を緩やかに下降させる。ダンパー８０は、ベッド部１２が基準位置よりも下側に降下した時も作用するように、適度な長さに設定されている。
【００３５】
一対のベッド固定部材２０の、水平部分２０ｂ（１），２０ｂ（２）には、ベッド部１２を取り外し可能に係止するプランジャー８２が２個ずつ、計４個設けられている。さらに、ベッド部１２付近には、図示しないスピーカが取り付けられている。ベッド部１２を揺動させる図示しないスイッチを入れると同時に、スピーカで、ベッド部１２に寝かせた乳児Ｂに、母体の胎内の臍帯血音等の胎内音を聞かせて、安心させるものである。
【００３６】
次に、揺動式ベビーベッド１０の使用方法について、図２、図６に基づいて説明する。まず、ベッド部１２をプランジャー８２により、ベッド固定部材２０に取り付け、ベッド部１２の内側にマットやシーツ、毛布等の寝具を入れ、乳児Ｂを横に寝かせる。そして、モータ７０により回転する円板７４の突起７６が、押し上げ棒７８に接触しない状態、又はモータ７０からトルクがかからない状態で、乳児Ｂと寝具を含むベッド部１２とベッド固定部材２０の重量と、コイルバネ３６の付勢力とが釣り合う静止位置を、基準位置に合わせる。図６（ｂ）は基準位置を示すものであり、基準位置では、第一の連結部材３０（１），３０（２）及び第二の連結部材３２（１），３２（２）は略水平となる。静止位置が基準位置に一致したことの確認は、布カバー部１８と側面板３９に設けられた透孔４３から内側を見て行う。ベッド部１２が基準位置に位置した状態で、第二の連結部材３２（１），３２（２）の端面に設けられたマーク３３が透孔４３と一致して視認される。
【００３７】
ベッド１２の静止位置が、基準位置からずれている場合は、付勢力可変装置３８を調節する。付勢力可変装置３８の調整方法は、ハンドル４８を回し、コイルバネ取り付け部４２を前後方向に移動させることによって、コイルバネ３６の付勢力に変化させて行う。基準位置よりもベッド部１２が高い場合は、コイルバネ取り付け部４２を前側、つまり横フレーム６２に近づけ、付勢力を弱める。基準位置よりもベッド部１２が低い場合は、コイルバネ取り付け部４２を後側、つまり横フレーム６２から遠ざけ、付勢力を強める。なお、コイルバネ３６の付勢力が弱過ぎる場合は、静止位置が基準位置よりも低くなり、ベッド部１２の振幅が大きくなりすぎる可能性がある。ベッド部１２が上昇又は下降限度位置まで移動すると、ベッド部１２に衝撃が加わるので、スムーズな自由振動とはならず滑らかで心地よい揺らぎが得られなくなる。一方、コイルバネ３６の付勢力が強過ぎる場合は、静止位置が基準位置よりも高くなり、ベッド部１２の振幅が小さく、スムーズな揺れにならない。従って、適度な揺動を得るために、静止位置が基準位置に来るように、所定の付勢力に設定する。付勢力可変装置３８は、使用する乳児Ｂの体重に合わせて適宜調整する。
【００３８】
次に、図示しないスイッチを入れて、モータ７０を動かすと、モータ７０により円板７４が回転し、図２と図６（ａ）に示すように押し上げ棒７８が突起７６により押し上げられ、ベッド固定部材２０とベッド部１２は二点鎖線で示す基準位置から上昇する。さらに円板７４が回転し、突起７６が揺動機構１６から離れると、押し上げ棒７８は突起７６から外れて、ベッド固定部材２０とベッド部１２は自重により基準位置に向かって下降する。このとき、第一の連結部材３０（１），３０（２）及び第二の連結部材３２（１），３２（２）が下向きに揺動し、ベッド部固定部材２０（１），２０（２）が下方向に移動し、ベッド部１２は水平を維持して、傾くことなくほぼ直線的に下降する。
【００３９】
ベッド部１２が下降するときは、付勢用フレーム５６（１），５６（２）及び横フレーム６２がコイルバネ取り付け部４２から離れる方向に移動するため、コイルバネ３６が伸張され、緩やかに下降する。ベッド１２は、基準位置よりも下降するが、ダンパー８０により滑らかに下降が止められる。従って、付勢部材３４は緩衝機能も有し、緩衝部材を兼ねるものである。この後、コイルバネ３６が伸張されたことによる収縮力が横フレーム６２を介して付勢用フレーム５６（１），５６（２）に作用するとともに、モータ７０により円板７４が所定の速度で回転を続け、再び押し上げ棒７８が次の突起７６と係合し、上昇させられる。これにより、第一の連結部材３０（１），３０（２）及び第二の連結部材３２（１），３２（２）が上向きに回動し、ベッド部固定部材２０（１），２０（２）が上方向に移動してベッド部１２が上昇する。
【００４０】
ベッド部１２は、上記動作を繰り返して上下方向に揺動する。なお、上下１回の振巾は約１０〜１５ｃｍで、上下ワンストロークの時間は、例えば１．６秒である。ベッド部１２の昇降は、モータ７０により回動する突起７６が２つの場合、円板７４の回転周期の１／２と、コイルバネ３６に付勢されたベッド１２の自由振動による上下揺動周期とが一致していることが好ましい。即ち、駆動装置によりベッド部１２を上昇させる周期が、コイルバネ３６に付勢されたベッド１２を、乳児を寝かせた状態で自由振動させたときの周期と一致していることが好ましい。
【００４１】
ベッド部１２の滑らかな上下方向の揺動により、乳児Ｂを落ち着かせて、容易に眠らせることができる。ベッド部１２を揺動させると同時に、スピーカで、ベッド部１２に寝かせた乳児Ｂに、臍帯血音等の胎内音を聞かせると、より安心感を与えることができ、迅速に眠らせることができる。
【００４２】
揺動式ベビーベッド１０は、乳児Ｂの安全のため、ベッド部１２の上昇限度位置と下降限度位置が規定されている。ベッド部１２の上昇限度位置は、第二の連結部材３２（１），３２（２）を連結している横フレーム６６によって規定される。第一の連結部材３０（１），３０（２）が上向きに回動してベッド部１２が上昇すると、図７に示すように、横フレーム６６がストッパ部材となって付勢用フレーム５６（１），５６（２）を係止する。その結果、第一の連結部材３０（１），３０（２）が上向きに回動できなくなり、ベッド部１２の上昇が停止する。ベッド部１２の下降限度位置は、ベッド部１２下面が基台部１４（フレーム体４０）の上端部に係止されることによって規定される。上昇限度位置と下降限度位置の間隔は、例えば約１５ｃｍであり、ベッド部１２の上下１回の振巾を約１０ｃｍにすると５ｃｍのあそびを持たせることができる。
【００４３】
この実施形態の揺動式ベビーベッド１０によれば、ベッド部１２が独特の揺動機構１６により支持され、モータ７０により乳児Ｂの自重を利用して上下方向に安定して揺らすことができる。揺動機構１６の付勢部材３４とモータ７０により、継続的に所定の間隔で揺らすことができ、保育者の作業を軽減することができる。部材同士が擦れ合う箇所もほとんどないので、騒音がほとんど発生せず静かであり、構造がシンプルなのでメンテナンスも容易である。
【００４４】
また、コイルバネ３６の付勢力は、乳児Ｂの体重等に応じて最適な値に調節されることが好ましいが、この揺動式ベビーベッド１０は、付勢力可変装置３８を備えているので、乳児Ｂの体重が増加しても、最適の状態で揺動させることができる。コイルバネ３６の付勢力の調整は、昇降部材透孔４３からマーク３３を視認して、簡単に基準位置に合わせて付勢力を調節することができる。
【００４５】
なお、本発明の揺動式ベビーベッドは上記実施形態に限定されるものではない。例えば、ベッド部や基台部の外形は略四角形であるが、デザイン性や機能性を考慮して他の形状に変更してもよい。また、基台部は、揺動機構を取り付けてベッド部をしっかり支持できる構造物であればよく、フレーム体の側面部を側面板で覆った構造に限定されない。ベッド部を支持する手段は、プランジャー以外でも良い。
【００４６】
揺動機構は、平行クランク機構又はこれと同様の機構によりベッド部を上下方向に移動させる構造であればよく、各構成部材の形状等は自由に変更することができる。例えば、上記の揺動機構は、ベッド部固定部材、第一及び第二の連結部材及び第一乃至第四の軸部から成るクランク機構を２組設け、左右一対に配置して一体化することによって構成されているが、個々の構成部材が十分な剛性や機械的強度を備えている場合、１組のクランク機構でベッド部を支持する構成にしてもよい。
【００４７】
付勢部材の構成も適宜変更することができる。例えば、上記の付勢部材の弾性部材はコイルバネであるが、伸縮自在な弾性ゴム等に置き換えてもよい。また、付勢部材は、コイルバネの収縮力を利用して、付勢用フレームを縦フレーム側に引き寄せるように付勢するが、圧縮コイルバネの弾発力を利用して、付勢用フレームを縦フレーム側に押し返すように付勢する形態に変更してもよい。また、付勢部材は、第一の連結部材を付勢するが、第二の連結部材を付勢する構造にしてもよい。また、付勢力可変装置は、必要に応じて省略することができる。
【００４８】
ストッパ部材を用いてベッド部の上昇限界位置を規定する構造についても、自由に変更することができる。例えば、ストッパ部材となるフレーム等を基台部のフレーム体に取り付けて、第一の連結部材の上面を係止する構造にしてもよい。あるいは、同様のストッパ部材により、付勢用フレームのコイルバネ側の面を係止する構造にしてもよい。また、ベッド部の上昇限界位置がストッパ部材以外の手段で規定される場合は、ストッパ部材を省略してもよい
さらに、揺動式ベビーベッドに、種々の機能を持たせてもよい。例えば、乳児Ｂの体重を図る体重メーターを付けると、ベッド部に乳児Ｂを寝かせると同時に体重を測定することができる。乳児Ｂに締める安全ベルトを取り付けてもよい。また、スピーカからは、臍帯血音等の胎内音以外の音や音楽を聞かせてもよい。モータの速度は、安眠モード等、色々な速度に切り替えが可能としても良い。その他、電気毛布やタオル、体温計等種々の育児用品を収納する収納部を設けてもよい。付勢力可変装置のハンドルの近傍に、強弱を示す矢印や目盛りを取り付けてもよい。室内温度計を見やすい位置に取り付けてもよい。
【符号の説明】
【００４９】
１０  揺動式ベビーベッド
１２  ベッド部
１４  基台部
１６  揺動機構
１８  布カバー部
２０（１），２０（２）  ベッド部固定部材
２２（１），２２（２）  第一の軸部
２４（１），２４（２）  第二の軸部
２６（１），２６（２）  第三の軸部
２８（１），２８（２）  第四の軸部
３０（１），３０（２）  第一の連結部材
３２（１），３２（２）  第二の連結部材
３３  マーク
３４  付勢部材
３６  コイルバネ（弾性部材）
３８  付勢力可変装置
４０  フレーム体
４０ｆ（１），４０ｆ（２），４０ｒ（１），４０ｒ（２），４０ｃ（１），４０ｃ（２）  縦フレーム
４２  コイルバネ取り付け部
４ａ２  フック
４２ｂ  雌ネジ孔
４３  昇降部材透孔
４４  雄ネジ部材
４６  支持梁
４８  ハンドル
５０，５２，５４，５８，６０，６２，６４，６６  横フレーム
５６（１），５６（２）  付勢用フレーム
６８  伝動部材
７０  モータ
７２  回転軸
７４  円板
７４ａ  表面
７６  突起
７８  押し上げ棒
８０  ダンパー
８０ａ  可動部
８２  プランジャー
Ｂ  乳児
【図１】
2020165984.tif 000003
【図２】
2020165984.tif 000004
【図３】
2020165984.tif 000005
【図４】
2020165984.tif 000006
【図５】
2020165984.tif 000007
【図６】
2020165984.tif 000008
【図７】
2020165984.tif 000009
【国際調査報告】
2020165984.tif 000010
2020165984.tif 000011
2020165984.tif 000012
2020165984.tif 000013